(57)【特許請求の範囲】
【請求項１】
二次電池と、
機能毎の推定発熱量に基づいて、各機能動作中の前記二次電池の充電動作として、前記二次電池の電池電圧が所定の第１電圧に回復するまで充電する高電圧充電モードを使うか、前記電池電圧が前記第１電圧よりも所定電圧低い第２電圧に回復するまで充電する低電圧充電モードを使うかを定義した電圧制御用テーブルを記憶する記憶手段と、
動作中の機能を判別し、前記電圧制御用テーブルを参照して動作中の機能に応じて、前記充電モードを切り替えて前記二次電池を充電する制御手段とを備え、
前記制御手段は、前記動作中の機能の推定発熱量が所定値以上の場合には前記低電圧充電モードによって前記二次電池を充電し、前記推定発熱量が前記所定値未満の場合には前記高電圧充電モードによって前記二次電池を充電することを特徴とする二次電池を有する電子機器。
【請求項２】
温度センサを有し、
前記電圧制御用テーブルには、所定の機能と前記充電モードとを対応付けると共に、前記所定の機能以外の機能であって前記温度センサによって検出した温度に基づいて前記充電モードを決定する機能とを格納し、
前記制御手段は、前記所定の機能が動作中の場合には前記電圧制御用テーブルによって対応付けられた前記充電モードによって前記二次電池を充電し、前記所定の機能以外の機能が動作中の場合には、前記温度センサによって検出した温度に基づいて前記充電モードを切り替えることを特徴とする請求項１記載の二次電池を有する電子機器。
【請求項３】
無線によって信号を外部へ送信するための無線回路部を有し、前記温度センサは、前記無線回路部から外部へ無線送信する信号の電力を補正するために使用する温度補正用の温度センサであることを特徴とする請求項２記載の二次電池を有する電子機器。
【請求項４】
前記二次電池は、リチウムイオン電池であることを特徴とする請求項１乃至３のいずれか一に記載の二次電池を有する電子機器。
【請求項５】
機能毎の推定発熱量に基づいて、各機能動作中の二次電池の充電動作として、前記二次電池の電池電圧が所定の第１電圧に回復するまで充電する高電圧充電モードを使うか、前記電池電圧が前記第１電圧よりも所定電圧低い第２電圧に回復するまで充電する低電圧充電モードを使うかを定義した電圧制御用テーブルを参照して、判別した動作中の機能に応じて前記充電モードを切り替えて前記二次電池を充電することにより、前記動作中の機能の推定発熱量が所定値以上の場合には前記低電圧充電モードによって前記二次電池を充電し、前記推定発熱量が前記所定値未満の場合には前記高電圧充電モードによって前記二次電池を充電することを特徴とする電子機器の二次電池の充電制御方法。
【発明の詳細な説明】
【技術分野】
【０００１】
本発明は、携帯電話、ＰＨＳ（Personal Handyphone System）、通信機能付ＰＤＡ（携帯情報端末：Personal Digital Assistant）をはじめとする携帯型電子機器等の二次電池を電源として有する電子機器及び電子機器の二次電池の充電制御方法に関する。
【背景技術】
【０００２】
従来から、携帯電話、ＰＨＳ、ＰＤＡをはじめとする携帯型電子機器等の電子機器において、電源として、リチウムイオン電池等の二次電池が使用されており、前記二次電池に対して良好な充電を行うために種々の充電方法が開発されている（例えば、特許文献１、２参照）。
リチウムイオン電池は繰り返し充電して使用しているうちに、徐々に特性劣化が進み使用できる容量が減っていく。この特性劣化の要因として電池内部の圧力があり、圧力が高くなればなるほど特性劣化が加速される。リチウムイオン充電池の内部圧力は、電圧及び温度により変化し、電圧及び温度が高いほど内部圧力は上昇し特性劣化が加速されてしまう。
【０００３】
他方、携帯電話に代表される携帯情報端末の多機能化及び高性能化により搭載される中央処理装置（ＣＰＵ）も高性能化されており、高負荷な処理を連続させた場合の本体の発熱がかなり高くなってきている。これにより、携帯情報端末にて高負荷な処理が連続する様な操作をユーザが行っている状態で、同時にリチウムイオン電池の充電を行った場合に、高電圧で高温というリチウムイオン電池にとっては過酷な条件となり、電池の寿命劣化を加速する要因の一つとなっている。
【０００４】
ところで、前記特許文献１には、携帯通信端末が過剰発熱しないように充電動作を行う発明が開示されている。しかしながら、特許文献１記載の発明は、充電制御を行うための専用の温度センサを使用して、所定時間経過後の予想温度、現在の消費電流や使用機能等に基づいて、充電電流を制御する等して、小刻みに充電動作を制御している。したがって、構成が極めて複雑になるという問題がある。
【０００５】
また、特許文献１記載の発明においては、発熱を抑制しようとする発明であり、リチウムイオン電池等の二次電池にとって過酷な条件となる高電圧な状態で高温に晒されることを避けながら充電することにより、二次電池の寿命劣化を軽減しようという観点から成されたものではない。
また、特許文献２にも、ポータブル電話機の二次電池を、緩速充電と急速充電のいずれかを選択して充電するようにした発明が記載されているに過ぎず、前記観点から成されたものではない。
【０００６】
【特許文献１】特開２００６−２０４４６号公報
【特許文献２】特表２００１−５０６１０９号公報
【発明の開示】
【発明が解決しようとする課題】
【０００７】
本発明は、簡単な構成で、二次電池にとって過酷な条件となる高電圧な状態で高温に晒されることを避けながら充電することにより、二次電池の寿命劣化を軽減することを課題としている。
【課題を解決するための手段】
【０００８】
本発明によれば、二次電池と、動作中の機能を判別して、前記二次電池に対する充電電圧を前記動作中の機能に応じた電圧に制御する制御手段とを備えて成ることを特徴とする二次電池を有する電子機器が提供される。
制御手段は、電子機器の動作中の機能を判別して、二次電池に対する充電電圧を前記動作中の機能に応じた電圧に制御する。
【０００９】
ここで、機能と充電電圧とを対応付けた電圧制御用テーブルを記憶する記憶手段を有し、前記制御手段は、前記電圧制御用テーブルを参照して、前記二次電池に対する充電電圧を前記動作中の機能に応じた電圧に制御するように構成してもよい。
また、温度センサを有し、前記制御手段は、前記動作中の機能及び前記温度センサによって検出した温度に基づいて、前記二次電池に対する充電電圧を制御するように構成してもよい。
【００１０】
また、所定の機能と充電電圧とを対応付けると共に、前記所定の機能以外の機能であって前記温度センサによって検出した温度に基づいて充電電圧を決定する機能とを格納した電圧制御用テーブルを記憶する記憶手段を有し、前記制御手段は、前記所定の機能が動作中の場合には前記電圧制御用テーブルによって対応付けられた電圧になるように前記充電電圧を制御し、前記所定の機能以外の機能が動作中の場合には、前記温度センサによって検出した温度に基づいて前記充電電圧を制御するように構成してもよい。
また、無線によって信号を外部へ送信するための無線回路部を有し、前記温度センサは、前記無線回路部から外部へ無線送信する信号の電力を補正するために使用する温度補正用の温度センサであるように構成してもよい。
【００１１】
また、液晶表示装置と、前記液晶表示装置を照明するバックライトとを有し、前記制御手段は、前記バックライトが点灯しているか否かに基づいて、前記充電電圧を制御するように構成してもよい。
また、前記制御手段は、第１電圧と前記第１電圧よりも低電圧の第２電圧のいずれか一方を選択することによって前記二次電池に対する充電電圧を制御するように構成してもよい。
また、前記二次電池は、リチウムイオン電池であるように構成してもよい。
【００１２】
また、本発明によれば、電子機器の動作中の機能を判別し、機能と充電電圧とを対応付けた電圧制御用テーブルを参照して、二次電池に対する充電電圧を前記動作中の機能に応じた電圧に制御することを特徴とする電子機器の二次電池の充電制御方法が提供される。
電子機器の動作中の機能を判別し、機能と充電電圧とを対応付けた電圧制御用テーブルを参照して、二次電池に対する充電電圧を前記動作中の機能に応じた電圧に制御する。
【００１３】
ここで、所定の機能が動作中の場合には電圧制御用テーブルによって対応付けられた電圧になるように前記充電電圧を制御し、前記所定の機能以外の他の機能が動作中の場合には、前記電子機器の無線回路部から外部へ無線送信する信号の電力を補正するために使用する温度補正用の温度センサによって検出した温度に基づいて前記充電電圧を制御するように構成してもよい。
また、前記電子機器の表示装置用バックライトが点灯しているか否かに基づいて、前記充電電圧を制御するように構成してもよい。
【発明の効果】
【００１４】
本発明に係る二次電池を有する電子機器によれば、簡単な構成で、二次電池にとって過酷な条件となる高電圧な状態で高温に晒されることを避けながら充電することにより、二次電池の寿命劣化を軽減することが可能になる。
また、本発明に係る電子機器の二次電池の充電制御方法によれば、簡単な制御により、二次電池にとって過酷な条件となる高電圧な状態で高温に晒されることを避けながら充電することができるため、二次電池の寿命劣化を軽減することが可能になる。
【発明を実施するための最良の形態】
【００１５】
図１は、本発明の実施の形態に係る二次電池を有する電子機器のブロック図で、後述する第１〜第３の実施の形態に共通して使用するブロック図であり、携帯電話の例を示している。
図１において、制御回路部１０１は、中央処理装置（ＣＰＵ）及び記憶手段としてのメモリ（いずれも図示せず。）とで構成され、携帯電話に実装される各種デバイスの制御を行い携帯電話の各種機能を実現する。液晶表示装置（ＬＣＤ）１０２は、携帯電話としての各種情報（操作メニュー、電話帳、時刻等）の表示を行うものである。
【００１６】
操作部１０３は、携帯電話の操作を行う為のキースイッチ群であり、操作部１０３からの入力は制御回路部１０１にて処理され、携帯電話端末としての動作が行われる。音声回路部１０４は、制御回路部１０１により制御されて音声を処理し、マイク１０５、スピーカ１０６を使って携帯電話としての音声通話が行われる。
電源回路部１０７は、リチウムイオン電池１０９からの電力を必要に応じて携帯電話各部に供給する役割と、交流（ＡＣ）アダプタ１０８が接続された場合にはリチウムイオン電池１０９の充電を行う機能を持っている。電源回路部１０７は、電池電圧が第１所定電圧（例えば、４．４Ｖ）に回復するまで充電する高電圧充電モードと、電池電圧が第２所定電圧（例えば、４．２Ｖ）に回復するまで充電する低電圧充電モードの２種類の充電モードを備えており、制御回路１０１からの制御で２種類の充電モードを切り替えることができる。
【００１７】
リチウムイオン電池１０９は、携帯電話等に一般的に使用される二次電池としてのリチウムイオン電池である。カメラ１１０は、Ｃ−ＭＯＳまたはＣＣＤで構成されたデジタルカメラであり、デジタル写真の撮影やＴＶ電話に使用されるものである。
無線回路部１１１は、携帯電話端末としての無線通信をアンテナ１１２を介して携帯電話基地局との間で行うものである。
【００１８】
無線回路部１１１は、内部に温度センサ１１３を有している。温度センサ１１３は、無線回路部１１１から無線出力す信号の電力を補正するために使用する温度補正用の温度センサである。後述するように、温度センサ１１３は、充電制御用の温度センサを兼ねている。バックライト１１４は、ＬＣＤ表示装置１０２を照射するための光源である。
尚、温度センサ１１３は、後述する第２の実施の形態において、充電電圧を決定する際に兼用して使用するものである。また、バックライト１１４は、後述する第３の実施の形態において、充電電圧を決定する際に兼用して使用するものである。また、制御回路部１０１及び電源回路部１０７は制御手段を構成している。
【００１９】
図２は、本発明の実施の形態に係る二次電池を有する携帯電話の持っている機能について列挙し、それぞれの機能でのＣＰＵ負荷及び操作部１０３の操作の継続性から、携帯電話装置の発熱具合を推定した結果を示したテーブルであり、携帯電話機能、ＣＰＵ処理負荷、操作の継続性及び携帯電話の発熱量の推定結果を対応付けたテーブルである。
図２において、携帯電話の機能を大別すると、非通信機能と通信機能に分けられる。
非通信機能には、メール作成機能、メール閲覧機能、カメラ（静止画及び動画）撮影機能、静止画再生機能、動画再生機能、ゲーム機能、音楽再生機能がある。また、通信機能には、待受機能、音声通話機能、テレビ（ＴＶ）電話機能、メール送受信機能、データ通信機能がある。
【００２０】
前記各機能を実行する場合のＣＰＵ（即ち制御回路部１０１）の処理負荷を大、中、小の３種類に分けている。動作の継続性については、動作が通常、所定時間以上継続して行われる機能については「連続する」と表し、動作が通常は、前記所定時間以上継続して行われない機能については「単発」と表している。装置（携帯電話）の発熱量推定は、前記各機能毎に、ＣＰＵ処理負荷及び動作の継続性に基づいて、装置（携帯電話）の発熱量を推定し、推定した発熱量が所定量以上の場合には「発熱大」と表し、推定発熱量が前記所定量未満の場合には「発熱なし」と表している。図２のテーブルを参照することにより、携帯電話の有する機能毎に、発熱量が大であるかあるいは発熱なしであるかを判別することができる。
【００２１】
図３は、本発明の第１の実施の形態で使用する電圧制御用テーブルである。
図３の電圧制御用テーブルは、図２に示した携帯電話の機能毎の推定発熱量に基づいて、携帯電話の各機能動作中のリチウムイオン電池１０９の充電動作として、高電圧充電モード（所定の第１電圧である高電圧により充電するモード）を使うか低電圧充電モード（前記第１電圧よりも所定電圧低い第２電圧により充電するモード）を使うかを定義したテーブルである。図３の例では、非通信機能と通信機能に分けて、携帯電話の各機能と充電電圧（前記第１電圧（高電圧）、前記第２電圧（定電圧））とを対応付けたテーブルとなっている。前記電圧制御用テーブルは、制御回路部１０１内の前記メモリに予め記憶されている。
【００２２】
制御回路部１０１は、動作中の機能を判別し、動作中の機能と充電電圧とを対応付けた図３の電圧制御用テーブルを参照して、前記動作中の機能に応じて充電電圧を決定し、電源回路部１０７を第１電圧によって充電する高電圧充電モードもしくは前記第１電圧よりも所定電圧低い第２電圧によって充電する低電圧充電モードに制御する。電源回路部１０７は、前記決定された電圧（前記第１電圧又は第２電圧）によってリチウムイオン電池１０９を充電する。
【００２３】
本第１の実施の形態では、リチウムイオン電池１０９の寿命延長をはかるために、温度センサを使用することなく、携帯電話の動作状況から携帯電話の発熱温度を推定し、携帯電話の動作状況に応じて充電電圧を切り替えるようにしている。
即ち、制御回路部１０１は、携帯電話が有する複数の機能のうち、動作中の機能を判別し、前記機能に応じてリチウムイオン電池１０９に対する充電電圧を制御する。このとき、制御回路部１０１は、制御回路部１０１内の前記メモリに記憶された、機能と充電電圧とを対応付けた図３のテーブルを参照して、前記動作中の機能に応じた充電電圧によって充電するように制御する。
【００２４】
これにより、動作中の機能を判別すると共に図３の電圧制御用テーブルを参照して前記動作中の機能に対応する充電電圧を選択するという簡単な構成で、適切な充電電圧によってリチウムイオン電池１０９を充電することができる。また、発熱する動作を認識することで、温度計を新たに付加しなくとも、動作状態で温度を推定し、温度に応じて最大充電電圧を制御したリチウムイオン電池の充電が可能になる。したがって、リチウムイオン電池１０９にとって過酷な条件となる高電圧な状態で高温に晒される事を避ける事ができ、リチウムイオン電池１０９の寿命劣化を軽減することが可能になるという効果を奏する。また、充電電圧は、予め定めた複数種類の電圧（本実施の形態では第１電圧と第２電圧の２種類の電圧）の中のいずれかの電圧を充電電圧として選択して制御するようにしているため、構成が簡単である。
【００２５】
図４は、本発明の第２の実施の形態で使用する電圧制御用テーブルであり、制御回路部１０１内の前記メモリに予め記憶されている。
前記第１の実施の形態では、動作中の機能を判別すると共に図３の電圧制御用テーブルを参照して前記動作中の機能に対応する充電電圧を選択し、該電圧によってリチウムイオン電池１０９の充電を行うようにしたが、本第２の実施の形態では、図１の温度センサ１１３を使用すると共に図４の電圧制御用テーブルを使用して、充電電圧を決定し、充電を制御するように構成している。
【００２６】
前述したように、温度センサ１１３は、リチウムイオン電池１０９の温度を測るために新設した専用の温度センサでは無く、元々携帯電話内に無線回路部１１１の送信信号電力の温度補正に使用している温度センサを、充電電圧制御用に兼用するものである。
温度センサ１１３は、本来は別用途の温度センサであるため、リチウムイオン電池１０９とは離れた場所にあるため、リチウムイオン電池１０９自体の温度は正確には測れないため、図４の電圧制御用テーブルを用いると共に、温度センサ１１３を補助的に使用して、充電電圧を決定するようにしている。
【００２７】
図４において、携帯電話の機能を、前記第１の実施の形態と同様に非通信機能と通信機能に分けている。
通信機能（図４の例では、待受機能、音声通話機能、ＴＶ電話機能、メール送受信機能、データ通信機能）に関しては、温度センサ１１３は、元々が無線回路部１１１の為の温度センサであるので、無線回路部１１１の発熱は正確に測定可能である。したがって、通信機能起動状態にて温度センサ１１３の出力値を適当な閾値で判定して、充電電圧を高電圧モードにするか低電圧モードにするかを決定する事により、電池１０９まで高温になる長時間の通信か、電池１０９の温度は上がらないであろう短時間の通信かが判定でき、的確に充電電圧の切替が行える。
【００２８】
非通信機能に関しては、所定機能（図４の例では、無操作状態、メール作成機能、メール閲覧機能）については、制御回路部１０１は、第１電圧である高電圧による充電を行うように制御する。
前記所定機能以外の非通信機能（図４の例では、カメラ撮影機能、静止画再生機能、動画再生機能、ゲーム機能、音楽再生機能）については、温度センサ１１３による検出温度が所定温度以上の場合には前記第１電圧よりも所定電圧低い第２電圧によって充電し、温度センサ１１３による検出温度が前記所定温度未満の場合には前記第１電圧によって充電するように制御回路部１０１は制御する。
【００２９】
この場合、温度センサ１１３は、元々が無線回路部１１１の為の温度センサであるので、装置や電池１０９自体の発熱は温度センサ１１３では正確にはわからない。ただし離れているとは言っても同一装置内に存在する温度センサなので、電池１０９の温度に対して２０℃程度の差の範囲で高めの温度を出力する事がわかっている。
電池１０９が４０℃以上の時に充電電圧を低電圧モードに切替えるようにした場合、非通信機能時の温度センサ１１３による電圧判定閾値を４０℃に設定すると、電池１０９の温度として２０℃〜４０℃の範囲の本来切替えたい４０℃に対して低い温度で充電電圧を低電圧モードに切替る事ができる。
【００３０】
本発明の第２の実施の形態においては、無線回路部１１１から無線出力す信号の電力を補正するために使用する温度補正用の温度センサ１１３を有し、制御回路部１０１は、動作中の機能及び温度センサ１１３によって検出した温度に基づいて、リチウムイオン電池１０９に対する充電電圧を制御するようにしている。
また、前記動作中の機能と充電電圧とを対応付けた図４の電圧制御用テーブルを記憶する前記メモリを有し、制御回路部１０１は、所定の機能が動作中の場合には前記電圧制御用テーブルによって対応付けられた充電電圧になるように制御し、他の機能が動作中の場合には、前記温度センサによって検出した温度に基づいて前記充電電圧を制御するように構成している。
【００３１】
即ち、所定の機能と充電電圧とを対応付けると共に、前記所定の機能以外の機能であって温度センサ１１３によって検出した温度に基づいて充電電圧を決定する機能とを格納した電圧制御用テーブルを前記メモリに記憶し、制御回路部１０１は、前記所定の機能が動作中の場合には前記電圧制御用テーブルによって対応付けられた電圧になるように前記充電電圧を制御し、前記所定の機能以外の機能が動作中の場合には、温度センサ１１３によって検出した温度に基づいて前記充電電圧を制御するようにしている。
【００３２】
このように、前記第１の実施の形態のように単純に機能に応じて充電電圧を切替た場合に比べ、精度はでないが温度センサ１１３を補助的に使用する事により、明らかな低温時に不要に充電電圧を低電圧モードに切替る事がない。また、単純に温度センサ１１３のみで判定をしてしまうと狙い温度よりもかなり低い温度で低電圧モードに切替えざるを得ないが、発熱するであろう機能起動時に限定して温度センサ１１３を補助的に使えば、発熱が明らかに低いと考えられる動作状態時には高電圧モードを使えることになる。
【００３３】
したがって、簡単な構成で、適切な充電電圧によってリチウムイオン電池１０９を充電することができる。また、動作中の機能や温度に応じて最大充電電圧を制御したリチウムイオン電池の充電が可能になり、リチウムイオン電池１０９の寿命劣化を軽減することが可能になるという効果を奏する。また、専用の温度センサを使用しないため、構成が簡単であり、廉価になるという効果を奏する。
【００３４】
図５は、本発明の第３の実施の形態で使用する電圧制御用テーブルであり、制御回路部１０１内の前記メモリに予め記憶されている。図５の電圧制御用テーブルは、携帯電話の機能、制御回路部１０１を構成するＣＰＵの処理負荷、図１のバックライト１１４の点灯状態（操作部１０３の操作中は点灯、操作部１０３を操作しない間は消灯、連続点灯）、リチウムイオン電池１０９に対する充電電圧（所定の第１電圧（高電圧）、前記第１電圧よりも所定電圧低い第２電圧）とを対応付けたものである。
【００３５】
図１において、ＬＣＤ表示装置１０２のバックライト１１４は、制御回路部１０１が操作部１０３の操作を検出することによって点灯制御する。このようにして、操作部１０３の操作をきっかけにバックライト１１４が点灯することによって、ＬＣＤ表示装置１０２の視認性を確保する。基本的には、操作部１０３の操作が所定時間以上無かった場合に、制御回路部１０１は、無操作状態であると判断してバックライト１１４を消灯して省電力制御を行う。
図５に示すように、一部の機能に関しては、操作部１０３の操作が所定時間以上行われなかった場合でも、当該機能が動作中は、制御回路部１０１は、前記機能が動作中であると判断して、バックライト１１４を連続して点灯するようにバックライト１１４を制御する。
【００３６】
前記第２の実施の形態では、温度センサ１１３を使用すると共に図４の電圧制御用テーブルを使用して充電電圧を決定し、該電圧によってリチウムイオン電池１０９の充電を行うようにしたが、本第３の実施の形態では、バックライト１１４の動作状態を利用すると共に図５の電圧制御用テーブルを用いて、充電電圧を決定し、充電を制御するように構成している。
【００３７】
即ち、本第３の実施の形態では、制御回路部１０１が充電電圧を決定して制御するための条件を簡略化し、ＬＣＤ表示装置１０２のバックライト１１４のＯＮ・ＯＦＦ状態に基づいて、充電電圧の決定を行うように構成している。制御回路部１０１は、図５の電圧制御用テーブルを参照して、バックライト１１４が点灯していないと判断した場合は、所定の高電圧である第１電圧によってリチウムイオン電池１０９を充電制御し、バックライト１１４が点灯していると判断した場合は、前記第１電圧よりも所定電圧低い第２電圧によってリチウムイオン電池１０９を充電制御する。
【００３８】
このように、本第３の実施の形態によれば、ＬＣＤ表示装置１０２と、ＬＣＤ表示装置を照らすバックライト１１４とを有し、制御回路部１０１は、バックライト１１４が点灯しているか否かに基づいて、リチウムイオン電池１１４の充電電圧を制御するようにしているため、簡単な構成で、適切な充電電圧によってリチウムイオン電池１０９を充電することができる等の効果を奏する。また、バックライト１１４の点灯状態を検出するのみであり、専用のセンサを使用しないため、構成が簡単であり、廉価になるという効果を奏する。
【００３９】
また、本発明の実施の形態に係る電子機器の二次電池の充電制御方法によれば、簡単な構成で、二次電池にとって過酷な条件となる高電圧な状態で高温に晒されることを避けながら充電することにより、二次電池の寿命劣化を軽減することが可能になる。
尚、前記実施の形態では、二次電池を有する電子機器として携帯電話の例を挙げたが、ＰＨＳやＰＤＡ等の携帯型電子機器をはじめとして、電源として二次電池を有する各種電子機器に適用可能である。
また、二次電池としてリチウムイオン電池を使用したが、圧力や熱によって特性が劣化するような二次電池に適用可能である。
【産業上の利用可能性】
【００４０】
携帯電話、ＰＨＳ、ＰＤＡ等の携帯型電子機器をはじめとして、電源に二次電池を使用する電子機器に適用可能である。
【図面の簡単な説明】
【００４１】
【図１】本発明の実施の形態に係る携帯電話のブロック図である。
【図２】本発明の実施の形態に係る携帯電話の動作を説明するためのテーブルである。
【図３】本発明の第１の実施の形態に係る携帯電話に使用する電圧制御用テーブルである。
【図４】本発明の第２の実施の形態に係る携帯電話に使用する電圧制御用テーブルである。
【図５】本発明の第３の実施の形態に係る携帯電話に使用する電圧制御用テーブルである。
【符号の説明】
【００４２】
１０１・・・制御手段を構成する制御回路部
１０２・・・液晶表示装置
１０３・・・操作手段を構成する操作部
１０４・・・音声回路部
１０５・・・マイク
１０６・・・スピーカ
１０７・・・制御手段を構成する電源回路部
１０８・・・ＡＣアダプタ
１０９・・・二次電池であるリチウムイオン電池
１１０・・・カメラ
１１１・・・無線回路部
１１２・・・アンテナ
１１３・・・温度センサ
１１４・・・バックライト
【図１】
0004650332.tif 000002
【図２】
0004650332.tif 000003
【図３】
0004650332.tif 000004
【図４】
0004650332.tif 000005
【図５】
0004650332.tif 000006